(57)【要約】  本発明はタッチ制御ボタン、タッチ制御パネル及びタッチ制御端末に関する。タッチ制御ボタンは、タッチ検出層、感圧層及びシールド層を含み、感圧層はタッチ検出層の下方に位置付けられ、シールド層は感圧層の下方に位置付けられる。指又はタッチ物体でタッチ制御ボタンを押すと、感圧層とシールド層との間の間隙が小さくなり、感圧層が検知する電気信号が変化し、この電気信号の変化により指又はタッチ物体による押す強さが決定され得る。タッチ制御ボタンを使用してタッチ物体の感圧式タッチ制御の検出を実現し得ることから、タッチ制御ボタンを設けたタッチ制御端末を感圧式タッチ制御操作に応答させ得る。このように、押す“時間”の長さという観点ではなく、押す“強さ”という観点による、タッチ制御ボタンに基づくヒューマンマシンインタラクションが実現され得、かくしてヒューマンマシンインタラクションのレベル及び使用経験が向上する。
2018503883.tif 000002
【特許請求の範囲】
【請求項１】
タッチ検出層と、感圧層と、シールド層とを含むタッチ制御ボタンであって、
前記感圧層が、タッチ制御ボタンエリア内で前記タッチ検出層の真下に位置付けられ、
前記シールド層が、前記感圧層の真下で且つ前記感圧層から所定距離の位置に位置付けられるタッチ制御ボタン。
【請求項２】
前記シールド層が、前記感圧層の真下でタッチ制御端末の胴部上に直接被覆され、前記タッチ制御端末には前記タッチ制御ボタンが設けられ、又は、前記シールド層が、タッチ制御ボタンを設けたタッチ制御端末の金属製胴部である請求項１に記載のタッチ制御ボタン。
【請求項３】
前記感圧層が、前記タッチ制御ボタンエリア内で導電性接着材を介して前記タッチ検出層の底部に直接装着される請求項１に記載のタッチ制御ボタン。
【請求項４】
前記感圧層及びシールド層が各々、酸化インジウムスズ、可撓性の回路基板、又は、ポリエチレングリコールテレフタレート材料上に印刷された金属フィルムから作製される請求項１に記載のタッチ制御ボタン。
【請求項５】
前記感圧層の縁部位置に可撓性の導電性基板が配置され、前記可撓性の導電性基板には第１種類接着パッドが設けられ、
前記タッチ検出層には、前記第１種類接着パッドに相当する位置でタッチ制御チップに電気的に接続された第２種類接着パッドが設けられる請求項１に記載のタッチ制御ボタン。
【請求項６】
ビューエリア及びタッチ制御ボタンエリアを含むタッチ制御パネルであって、
前記タッチ制御ボタンエリアが、前記ビューエリアとは独立したエリア内に位置付けられ、
前記ビューエリアが、ディスプレイスクリーン、前記ディスプレイスクリーン上のタッチ検出層、及び、前記タッチ検出層上の保護層を含み、
前記タッチ制御ボタンエリアが、前記保護層、前記タッチ検出層、感圧層、及びシールド層を含み、
前記感圧層が、前記タッチ制御ボタンエリア内で前記タッチ検出層の下方に位置付けられ、
前記シールド層が、前記感圧層の下方で且つ前記感圧層から所定距離の位置に位置付けられるタッチ制御パネル。
【請求項７】
前記シールド層が前記感圧層の真下でタッチ制御端末の胴部上に直接被覆され、前記タッチ制御端末には前記タッチ制御ボタンが設けられ、又は、
前記シールド層が、前記タッチ制御ボタンを設けたタッチ制御端末の金属製胴部である請求項６に記載のタッチ制御パネル。
【請求項８】
前記感圧層が、前記タッチ制御ボタンエリア内で導電性接着材を介して前記タッチ検出層の底部に直接装着される請求項６に記載のタッチ制御パネル。
【請求項９】
前記感圧層及びシールド層が各々、酸化インジウムスズ、可撓性の回路基板、又は、ポリエチレングリコールテレフタレート材料上に印刷された金属フィルムから作製される請求項６に記載のタッチ制御パネル。
【請求項１０】
前記感圧層の縁部位置に可撓性の導電性基板が配置され、前記可撓性の導電性基板には第１種類接着パッドが設けられ、
前記タッチ検出層には、前記第１種類接着パッドに相当する位置で、タッチ制御チップに電気的に接続された第２種類接着パッドが設けられる請求項６に記載のタッチ制御パネル。
【請求項１１】
プロセッサ及びタッチ制御パネルを含むタッチ制御端末であって、
前記タッチ制御パネルがビューエリア及び、前記ビューエリアとは独立したタッチ制御ボタンエリアを含み、
前記ビューエリアが、ディスプレイスクリーン、前記ディスプレイスクリーン上のタッチ検出層、及び、前記タッチ検出層上の保護層を含み、
前記タッチ制御ボタンエリアが、前記保護層、前記タッチ検出層、感圧層、及びシールド層を含み、前記感圧層が、前記タッチ制御ボタンエリア内で前記タッチ検出層の下方に位置付けられ、前記シールド層が、前記感圧層の下方で且つ前記感圧層から所定距離の位置に位置付けられ、
前記プロセッサが、前記ディスプレイスクリーン上のタッチ制御信号を検出し、前記タッチ制御信号に従う第１操作を実行し、
前記タッチ制御ボタンのタッチ圧力信号を検出し、前記タッチ圧力信号に従う第２操作を実行するタッチ制御端末。
【発明の詳細な説明】
【技術分野】
【０００１】
本発明は２０１５年１２月１６日付で提出された中国特許出願番号２０１５１０９４６７３７７に基づくものであり且つその優先権を主張し、その全体の内容を本明細書に参照として組み込むものである。
【０００２】
本件出願はコンピュータテクノロジー分野に関し、詳しくは、タッチ制御ボタン、タッチ制御パネル及びタッチ制御端末に関する。
【背景技術】
【０００３】
感圧制御テクノロジーでは押す強さが感圧制御デバイスで検出され、かくして、クリック、軽い押し、及び、強い押し等の３つの様相に属するタッチ制御アクションに応じたフィードバックが提供され得る。
【０００４】
従来技術では感圧制御テクノロジーは主にタッチ制御パネルのビューエリアで利用される。しかしながら、ビューエリア外のタッチ制御ボタンのタッチ制御はビューエリアとは独立した検出チャネルの自己容量あるいは相互容量を介して実現され得るが、感圧式タッチ制御は実現できない。
【先行技術文献】
【特許文献】
【０００５】
【特許文献１】中国特許出願番号２０１５１０９４６７３７７
【発明の概要】
【発明が解決しようとする課題】
【０００６】
従来技術の問題点を解決するタッチ制御ボタン、タッチ制御パネル及びタッチ制御端末を提供することである。
【課題を解決するための手段】
【０００７】
本発明の実施態様によれば、前述の問題を解決するために以下の技術的解決策が提供される。
本発明の第１様相の実地態様によればタッチ制御ボタンが提供される。タッチ制御ボタンは、タッチ検出層、感圧層及びシールド層を含み、
感圧層はタッチ制御ボタンエリア内でタッチ検出層の真下に位置付けられ、
シールド層は感圧層の真下で且つ感圧層から所定距離の位置に位置付けられる。
【０００８】
第１様相において提供されるタッチ制御ボタンは、タッチ検出層、感圧層、シールド層を含む。感圧層はタッチ検出層の真下にあり、シールド層は感圧層の真下にある。タッチ制御ボタンを指あるいはタッチ物体で押すと感圧層とシールド層との間の間隙が小さくなり、感圧層が検出する電気信号が変化し、この電気信号の変化により指又はタッチ物体による押す強さが決定され得る。このように、タッチ制御ボタンに基づいて押す“時間”の長さという観点ではなく、押す“強さ”という観点によるヒューマンマシンインタラクションが実現され得、かくしてヒューマンマシンインタラクションのレベル及び使用経験(ｕｓａｇｅ  ｅｘｐｅｒｉｅｎｃｅ）が向上する。
【０００９】
あるいはシールド層は感圧層の真下でタッチ制御端末の胴部上に直接コーティングされ、タッチ制御ボタンにはタッチ制御端末に設けられ、又は、シールド層はタッチ制御ボタンを設けたタッチ制御端末の金属製胴部である。
【００１０】
あるいは感圧層は、タッチ制御ボタンエリア内で導電性接着材を介してタッチ検出層の底部に直接装着される。
【００１１】
あるいは感圧層及びシールド層は各々、酸化インジウムスズ、可撓性の回路基板、又は、ポリエチレングリコールテレフタレート材料上に印刷された金属フィルムから作製される。
【００１２】
あるいは感圧層の縁部位置に可撓性の導電性基板が配置され、可撓性の導電性基板には第１種類接着パッドが設けられ、タッチ検出層には、第１種類接着パッドに相当する位置でタッチ制御チップに電気的に接続された第２種類接着パッドが設けられる。
【００１３】
本発明の第２様相によればタッチ制御パネルが提供される。タッチ制御パネルはビューエリアと、ビューエリアとは独立したエリア内に位置付けられたタッチ制御ボタンエリアとを含み、ビューエリアは、ディスプレイスクリーン、ディスプレイスクリーン上のタッチ検出層、タッチ検出層上の保護層を含み、
タッチ制御ボタンエリアは、保護層、タッチ検出層、感圧層、シールド層を含み、
感圧層はタッチ制御ボタンエリア内でタッチ検出層の下方に位置付けられ、
シールド層は感圧層の下方で、且つ、感圧層から所定距離の位置に位置付けられる。
【００１４】
あるいはシールド層が感圧層の真下でタッチ制御端末の胴部上に直接被覆され、前記タッチ制御端末にはタッチ制御ボタンが設けられ、又は、シールド層は、タッチ制御ボタンを設けたタッチ制御端末の金属製胴部である。
【００１５】
あるいは感圧層は、タッチ制御ボタンエリア内で導電性接着材を介してタッチ検出層の底部に直接装着される。
【００１６】
あるいは感圧層及びシールド層は各々、酸化インジウムスズ、可撓性の回路基板、又は、ポリエチレングリコールテレフタレート材料上に印刷された金属フィルムから作製される。
【００１７】
あるいは感圧層の縁部位置に可撓性の導電性基板が配置され、可撓性の導電性基板には第１種類接着パッドが設けられ、タッチ検出層には、第１種類接着パッドに相当する位置で、タッチ制御チップに電気的に接続された第２種類接着パッドが設けられる。
【００１８】
本発明の第３様相によればタッチ制御端末が提供される。タッチ制御端末は、プロセッサと、ビューエリア及びビューエリアとは独立したタッチ制御ボタンエリアとを含むタッチ制御パネル、を含み、
ビューエリアは、ディスプレイスクリーン、ディスプレイスクリーン上のタッチ検出層、タッチ検出層上の保護層を含み、
タッチ制御ボタンエリアは、保護層、タッチ検出層、感圧層、シールド層を含み、感圧層はタッチ制御ボタンエリア内でタッチ検出層の下方に位置付けられ、シールド層は感圧層の下方で、且つ、感圧層から所定距離の位置に位置付けられ、
プロセッサが、
ディスプレイスクリーン上のタッチ制御信号を検出し、タッチ制御信号に従う第１操作を実行し、
タッチ制御ボタンのタッチ検出信号を検出し、タッチ検出信号に従う第２操作を実行する。
【００１９】
本発明の実施態様により提供される技術的解決策は下記の有益な効果を有し得る。本発明の実施態様により提供されるタッチ制御ボタンは、タッチ検出層、感圧層、シールド層を含む。感圧層はタッチ検出層の真下にあり、シールド層は感圧層の真下にある。指又はタッチ物体でタッチ制御ボタンを押すと、感圧層とシールド層との間の間隙が小さくなり、感圧層によって検出される電気信号が変化することから、指又はタッチ物体による押す強さをこの電気信号の変化に従い決定し得る。タッチ制御ボタンを使用してタッチ物体の感圧式タッチ制御の検出を実現し得ることから、タッチ制御ボタンを設けたタッチ制御端末を感圧式タッチ制御操作に応答させ得る。それにより、押す“時間”の長さの観点からではなく、押す“強さ”の観点からのタッチ制御ボタンに基づくヒューマンマシンインタラクションが実現され得る。
以上の一般的記載及び以下の詳細な説明は何れも例示的且つ説明上のためのものであり本発明を限定するものではない。
【発明の効果】
【００２０】
本発明によれば、従来技術の問題点を解決するタッチ制御ボタン、タッチ制御パネル及びタッチ制御端末が提供される。
【図面の簡単な説明】
【００２１】
【図１】図１は、従来技術における、タッチ制御ボタンを設けたタッチ制御端末の模式図である。
【図２】図２は、１実施態様に従うタッチ制御ボタンの断面図である。
【図３】図３は、１実施態様に従う他のタッチ制御ボタンの断面図である。
【図４】図４は、１実施態様に従うタッチ制御パネルの断面図である。
【図５】図５は、１実施態様に従うタッチ制御端末の模式図である。
【図６】図６は、１実施態様に従うタッチ制御端末のブロック図である。
【発明を実施するための形態】
【００２２】
付随する図面に例示される例示的実施態様例を参照して詳しく説明する。付随する図面を参照する以下の記載において、異なる図中の同一番号は、特に断わりの無い限り同一又は類似要素を表わすものとする。以下の実施態様例の説明に明記される手段は本開示に一致する全ての手段を表わすものではない。そうではなく、それらは添付される請求の範囲に記載される開示に関する様相に一致する装置及び方法例に過ぎないものである。
【００２３】
本発明を、従来技術におけるタッチ制御ボタンを設けたタッチ制御端末の模式図である図１、及び、１実施態様に従うタッチ制御ボタンの断面図である図２を共に参照して説明する。
【００２４】
図１に示されるように、タッチ制御端末１００のタッチ制御パネル１１０が、ビューエリア（ＶＡ）１１１と、ビューエリアとは独立したタッチ制御ボタンエリア１１２とを含んでいる。タッチ制御ボタンエリアは、独立した検出チャネルの自己容量あるいは相互容量を介してタッチ制御を実現させ得る。
【００２５】
図２に示されるように、タッチ制御ボタンエリア１１２は、タッチ検出層２１０、感圧層２２０、シールド層２３０を含む。
【００２６】
タッチ検出層２１０は上部に位置付けられ、タッチ物体によりタッチ制御ボタンに対して実行されたタッチ操作（クリック、ダブルクリック、長押し等）を検出するように構成される。
【００２７】
感圧層２２０はタッチ制御ボタンエリア内でタッチ検出層２１０の真下に位置付けられる。感圧層２２０は、導電性接着材を介してタッチ検出層２１０の底部に直接装着され得る。
【００２８】
シールド層２３０は感圧層２２０の真下で且つ感圧層２２０から所定距離の位置に位置付けられる。更に、シールド層２３０が接地される。感圧層２２０は、タッチ物体がタッチ制御ボタンを押す操作を検出する構成を有する。例えば、異なる操作は異なる押す強さに夫々相当する。
【００２９】
本実施態様では、感圧層２２０とシールド層２３０との間の距離は、感圧層と、タッチ制御パネルを担持するタッチ制御端末の胴部との間の垂直距離に近似する。
【００３０】
図２に示す如き本発明の１実施態様ではシールド層２３０は、感圧層の真下でタッチ制御端末の胴部２００に装着される。
【００３１】
本発明の他の実施態様では、図３に示すようにタッチ制御スクリーンを担持する胴部が金属製である場合、この金属製胴部はシールド層を構成し得るためそれ以上のシールド層は不要である。
【００３２】
感圧層２２０及びシールド層２３０の各々は酸化インジウムスズ（ＩＴＯ）、可撓性の印刷回路基板（ＦＰＣ）、ポリエチレンテレフタレート（ＰＥＴ）ベースの材料上に印刷した金属（銀等）フィルムの何れかから作製され得る。上記材料の各々は容易に入手でき且つ低コストであるためタッチ制御ボタンの総コストが低減される。
【００３３】
感圧層２２０とシールド層２３０との間に容量が形成され得る。指でタッチ制御ボタンを押すと感圧層２２０とシールド層２３０との間の距離が小さくなり、感圧層によって検出される電気信号が変化することから、タッチ制御ボタンを押す強さをこの電気信号の変化に従い決定し得る。
【００３４】
加えて、タッチ検出層２１０の上方に保護層２４０が位置付けられ、この保護層２４０はその下方の各検出層を保護する構成を有する。保護層２４０は一般に強化ガラスである。
【００３５】
本実施態様に従うタッチ制御ボタンは、タッチ検出層、感圧層、シールド層を含む。感圧層はタッチ検出層の下方に位置付けられ、シールド層は感圧層の下方に位置付けられる。指又はタッチ物体でタッチ制御ボタンを押すと感圧層とシールド層との間の間隙が小さくなり、感圧層によって検出される電気信号が変化することから、指又はタッチ物体の押す強さをこの電気信号の変化に従い決定し得る。タッチ制御ボタンを使用してタッチ物体の感圧式タッチ制御の検出を実現し得ることから、タッチ制御ボタンを設けたタッチ制御端末を感圧式タッチ制御操作に応答させ得る。それにより、押す“時間”の長さの観点からではなく、押す“強さ”の観点からの、タッチ制御ボタンに基づくヒューマンマシンインタラクションが実現され得る。
【００３６】
本発明によれば、上記タッチ制御ボタンに相当するタッチ制御ボタンを設けたタッチ制御パネルの実施態様が更に提供される。
【００３７】
図４には１実施態様に従うタッチ制御パネルの断面図が示される。図４に示されるように、タッチ制御パネルはビューエリアと、タッチ制御ボタンエリアとを含む。
【００３８】
ビューエリアは、ディスプレイスクリーン４１０、タッチ検出層４２０、保護層４３０を含む。保護層４３０及びタッチ検出層４２０とは別に、タッチ制御ボタンエリアは感圧層４４０及びシールド層４５０をも含む。つまり、保護層４３０及びタッチ検出層４２０は何れもビューエリア及びタッチ制御ボタンエリアをカバーし得る。
【００３９】
ビューエリア内で、ディスプレイスクリーン４１０は底部に位置付けられ、タッチ検出層４２０はディスプレイスクリーン４１０の上方に位置付けられ、保護層４３０はタッチ検出層４２０の上方に位置付けられる。
【００４０】
タッチ制御ボタンエリア内で、感圧層４４０はタッチ制御ボタンエリア内のタッチ検出層４２０の下方に位置付けられる。シールド層４５０は感圧層４４０の下方に位置付けられ、それらの間部分には所定の間隙が形成される。シールド層４５０は接地される。
【００４１】
本発明の１実施態様例では、シールド層４５０は感圧層４４０の真下でタッチ制御端末４００の胴部に装着され、前記タッチ制御端末にはタッチ制御パネルが設けられる。
【００４２】
本発明の他の実施態様例では、タッチ制御スクリーンを担持するタッチ制御パネルを設けたタッチ制御端末の胴部が金属製である場合、この金属製の胴部は追加のシールド層を設ける必要無く、シールド層として直接構成され得る。
【００４３】
本実施態様では、感圧層４４０及びシールド層４５０の各々はＩＴＯ、ＦＰＣ、及びＰＥＴ上に印刷された金属（銀等）フィルム製であり得る。
【００４４】
図５は１実施態様例に従う感圧層のワイヤを例示する模式図である。図５に示されるように、感圧層５１０の縁部位置には第１種類接着パッド５５０を設けた可撓性の導電性基板５２０が配置される。同時に、タッチ検出層５４０の、前記第１種類接着パッド５５０に相当する位置には第２種類接着パッド５３０が設けられる。更には、第２種類接着パッドはタッチ検出層のワイヤを介してタッチ制御チップに連結される。
【００４５】
タッチ検出層５４０の底部に感圧層５１０を装着した後、第１種類接着パッド５３０が第２種類接着パッド５４０に電気的に接続されて、感圧層５１０のワイヤがタッチ検出層５４０のワイヤを介してタッチ制御チップに接続され、かくして、タッチ制御チップが感圧式のタッチ制御操作のみならずタッチ操作をも検出することが保証される。
【００４６】
本実施態様に従うタッチ制御パネルは、ビューエリアと、ビューエリアとは独立したタッチ制御ボタンエリアとを含む。タッチ制御ボタンエリアは、タッチ検出層、感圧層、シールド層を含む。感圧層はタッチ検出層の下方に位置付けられ、シールド層は感圧層の下方に位置付けられる。タッチ制御ボタンを指又はタッチ物体で押すと感圧層とシールド層との間の間隙が小さくなり、感圧層によって検出される電気信号が変化することから、指又はタッチ物体の押す強さをこの電気信号の変化に従い決定し得る。タッチ制御ボタンを使用してタッチ物体の感圧式タッチ制御の検出を実現し得ることから、タッチ制御ボタンを設けたタッチ制御端末を感圧式タッチ制御操作に応答させ得る。それにより、押す“時間”の長さの観点からではなく、押す“強さ”の観点からのタッチ制御ボタンに基づくヒューマンマシンインタラクションが実現され得る。
【００４７】
上記実施態様における装置について、操作を実行する各モジュールに関する特定様式を関連する方法の実施態様にて詳しく記載したが、関連する方法実施態様における詳細な説明はここでは省略される。
【００４８】
図６は本発明の１実施態様に従うタッチ制御端末６００のブロック図である。例えば、タッチ制御端末６００はモバイルフォン、コンピュータ、デジタル放送端末、メッセージトランシーバー、ゲームコンソール、タブレットデバイス、医療機器、フィットネス機器、あるいはパーソナルデジタルアシスタント等であり得る。
【００４９】
図６を参照するに、タッチ制御端末６００は以下のコンポーネント、即ち、処理コンポーネント６０２、メモリ６０４、電源コンポーネント６０６、マルチメディアコンポーネント６０８、オーディオコンポーネント６１０、入／出力（Ｉ／Ｏ）インターフェース６１２、センサコンポーネント６１４、そして通信コンポーネント６１６の１つ又は１つ以上を含み得る。
【００５０】
処理コンポーネント６０２は一般に、タッチ制御端末６００の、例えばディスプレイ、電話接続、データ通信、カメラ操作、録音操作等に関連する操作全体を制御する。処理コンポーネント６０２は、前記方法のステップの全てあるいは一部を実行するための命令を出す１つ又は１つ以上のプロセッサ６２０を含み得る。更には、処理コンポーネント６０２は、この処理コンポーネント６０２と、その他コンポーネントとの間の相互作用を容易化する１つ又は１つ以上のモジュールを含み得る。例えば、処理コンポーネント６０２は、マルチメディアコンポーネント６０８と、処理コンポーネント６０２との間の相互作用を容易化するマルチメディアモジュールを含み得る。
【００５１】
メモリ６０４は、タッチ制御端末６００の操作をサポートするために様々なタイプのデータを記憶する構成を有する。それらのデータ例には、タッチ制御端末６００上で操作される任意のアプリケーションあるいは方法、連絡先データ、電話帳データ、メッセージ、写真、ビデオ等に関するインストラクションが含まれる。メモリ６０４は任意タイプの揮発性あるいは非揮発性メモリデバイス、例えば、スタティックランダムアクセスメモリ（ＳＲＡＭ）、電気的消去可能プログラマブル読取専用メモリ（ＥＥＰＲＯＭ）、消去可能プログラマブル読取専用メモリ（ＥＰＲＯＭ）、プログラマブル読取専用メモリ（ＰＲＯＭ）、読取専用メモリ（ＲＯＭ）、磁気メモリ、フラッシュメモリ、磁気あるいは光学ディスク、あるいはそれらの組み合わせを用いて実装され得る。
【００５２】
電源コンポーネント６０６はタッチ制御端末６００の様々なコンポーネントに電力を提供する。電源コンポーネント６０６は、電力管理システム、１つ又は１つ以上の電源、及び、タッチ制御端末６００における電力の発生、管理及び配分に関する任意のその他コンポーネントを含み得る。
【００５３】
マルチメディアコンポーネント６０８は、タッチ制御端末６００とユーザーとの間に出力インターフェースを提供するスクリーンを含む。ある実施態様ではスクリーンは液晶ディスプレイ（ＬＣＤ）及びタッチパネル（ＴＰ）を含み得る。スクリーンは、タッチ制御パネルを含む場合はユーザーからの入力信号を受けるタッチスクリーンとして実装され得る。タッチ制御パネルは、タッチ制御パネル上のタッチ、スワイプ、そしてジェスチャーを検出する１つ又は１つ以上のタッチセンサを含む。タッチセンサは、タッチ又はスワイプアクションの範囲（ｂｏｕｎｄａｒｙ）のみならず、タッチ又はスワイプアクションに関する時間や圧力をも検出し得る。
【００５４】
ある実施態様ではタッチ制御パネルはタッチ制御ボタンを更に含む。タッチ制御ボタンは容量ボタンであり得る。タッチ制御ボタンエリアは、保護層、タッチ検出層、感圧層、そしてシールド層を含む。感圧層はタッチ検出層の下方に位置付けられ、シールド層は感圧層の下方で且つ感圧層から所定距離の位置に位置付けられる。感圧層とシールド層との間に容量が形成され、タッチ制御ボタンを指で押すと感圧層とシールド層との間の距離が小さくなり、感圧層により検出される電気信号が変化するため、タッチ制御ボタンを押す強さをこの電気信号の変化に従い決定し得る。更には、処理コンポーネント６０２は異なる押す強さに応じた異なる操作を実施できる。
【００５５】
ある実施態様ではマルチメディアコンポーネント６０８はフロントカメラ及び／又はリヤカメラを含む。フロントカメラ及びリヤカメラはタッチ制御端末６００が撮影モードあるいはビデオモード等の操作モードである間に外部マルチメディアデータを受けることができる。フロント及びリヤの各カメラは固定式光学レンズシステム又はフォーカス及び光学ズーム機能を有し得る。
【００５６】
オーディオコンポーネント６１０は、オーディオ信号を出力及び／又は入力する構成を有する。例えばオーディオコンポーネント６１０は、タッチ制御端末６００が電話モード、録音モード、音声認識モード等の操作モードである場合に外部オーディオ信号を受ける構成を有するマイクロフォン（“ＭＩＣ”）を含む。受信されたオーディオ信号は更に、メモリ６０４に記憶、あるいは、通信コンポーネント６１６を介して転送され得る。ある実施態様では、オーディオコンポーネント６１０は更に、オーディオ信号を出力するスピーカーを含む。
【００５７】
Ｉ／Ｏインターフェース６１２は、処理コンポーネント６０２と、キーボード、クリックホイール、ボタン及びその他等の周辺インターフェースモジュールとの間のインターフェースを提供する。ボタンとは、それらに限定されないが、ホームボタン、ボリュームボタン、スタートボタン及びロックボタンを含んでも良い。
【００５８】
センサコンポーネント６１４は、タッチ制御端末６００の様々な様相のステータスアセスメントを提供する１つ又は１つ以上のセンサを含む。例えば、センサコンポーネント６１４はタッチ制御端末６００の開閉ステータス、例えばディスプレイ及びキーパッド等のタッチ制御端末６００のコンポーネントの相対位置、タッチ制御端末６００あるいはタッチ制御端末６００のあるコンポーネントの位置変化、タッチ制御端末６００とユーザーとの接触の有無、タッチ制御端末６００の向き又は加速／減速度、及び、タッチ制御端末６００の温度変化を検出できる。センサコンポーネント６１４は、任意の物理的接触無しに近位物体の存在を検出する構成を有する近接センサを含み得る。センサコンポーネント６１４は、撮像アプリケーションで使用するためのＣＭＯＳあるいはＣＣＤイメージセンサ等の光センサをも含み得る。ある実施態様ではセンサコンポーネント６１４は、加速度計センサ、ジャイロスコープセンサ、磁気センサ、圧力センサ、あるいは温度センサをも含み得る。
【００５９】
通信コンポーネント６１６は、タッチ制御端末６００とその他デバイスとの間の有線又は無線による通信を容易化する構成を有する。タッチ制御端末６００は、ＷｉＦｉ、２Ｇあるいは３Ｇ、あるいはそれらの組み合わせ等の通信規格に基づく無線ネットワークにアクセスできる。ある実施態様では通信コンポーネント６１６は、放送チャネルを介して外部放送マネジメントシステムから放送信号あるいは放送関連情報を受信する。実施態様例では、通信コンポーネント６１６は近距離通信を容易化するＮＦＣ（near field communication）モジュールを更に含む。例えばＮＦＣモジュールは無線周波数識別（ＲＦＩＤ）テクノロジー、赤外線データ通信（ＩｒＤＡ）テクノロジー、超広帯域無線（ＵＷＢ）テクノロジー、ブルートゥース（登録商標）（ＢＴ）テクノロジー及びその他テクノロジーに従い実装され得る。
【００６０】
実施態様ではタッチ制御端末６００は、特定用途向け集積回路（ＡＳＩＣｓ）、デジタル信号プロセッサ（ＤＳＰｓ）、デジタル信号プロセッシングデバイス（ＤＳＰＤｓ）、プログラマブルロジックデバイス（ＰＬＤｓ）、フィールドプログラマブルゲートアレイ（ＦＰＧＡｓ）、コントローラ、マイクロコントローラ、マイクロプロセッサ、あるいはその他の前記方法を実行するための電子コンポーネントの１つ又は１つ以上と共に実装され得る。
【００６１】
実施態様では、命令を含んだ非一時的なコンピュータ読み取り可能記憶媒体も提供され、前記記憶媒体は、タッチ制御端末６００内のプロセッサ６２０により前記方法を実行するために実行され得る、メモリ６０４等を含む。例えば、非一時的なコンピュータ読み取り可能記憶媒体はＲＯＭ、ＲＡＭ、ＣＤ−ＲＯＭ、磁気テープ、フロッピーディスク、光学データ記憶デバイス及びその他であり得る。
【００６２】
本発明のその他実施態様は、明細書の斟酌、及び、ここに開示される発明を実施することにより当業者には明らかであろう。本出願は、発明の一般的原理に基づく任意の変更例、使用、あるいは適用をカバーすることを意図したものであり、斯界に既知、又は慣例のプラクティスの範囲内における本開示からの展開を含むものとする。明細書及び実施例は例示のためのみのものであり、本発明の真の範囲及び精神は添付される請求の範囲に示されることが意図される。
【００６３】
本発明は上記に記載され且つ付随する図面に例示された構成自体に限定されず、その範囲から逸脱すること無く種々の改変及び変更をなし得るものである。本発明の範囲は添付する請求の範囲によってのみ限定されることが意図される。
【符号の説明】
【００６４】
１０  タッチ制御端末
１００  タッチ制御パネル
１１２  タッチ制御ボタンエリア
２００  胴部
２１０  タッチ検出層
２２０  感圧層
２３０  シールド層
２４０  保護層
４００  タッチ制御端末
４１０  ディスプレイスクリーン
４２０  タッチ検出層
４３０  保護層
４４０  感圧層
４５０  シールド層
５１０  感圧層
５２０  導電性基板
５３０  接着パッド
５４０  タッチ検出層
５４０  第１種類接着パッド
５５０  第２種類接着パッド
６００  タッチ制御端末
６０２  処理コンポーネント
６０４  メモリ
６０６  電力コンポーネント
６０８  マルチメディアコンポーネント
６１０  オーディオコンポーネント
６１２  インターフェース、Ｉ／Ｏインターフェース
６１４  センサコンポーネント
６１６  通信コンポーネント
６２０  プロセッサ
【図１】
2018503883.tif 000003
【図２】
2018503883.tif 000004
【図３】
2018503883.tif 000005
【図４】
2018503883.tif 000006
【図５】
2018503883.tif 000007
【図６】
2018503883.tif 000008
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
タッチ検出層と、感圧層と、シールド層とを含むタッチ制御ボタンであって、
前記感圧層が、タッチ制御ボタンエリア内で前記タッチ検出層の真下に位置付けられ、
前記シールド層が、前記感圧層の真下で且つ前記感圧層から所定距離の位置に位置付けられるタッチ制御ボタン。
【請求項２】
前記シールド層が、前記感圧層の真下でタッチ制御端末の胴部上に直接被覆され、前記タッチ制御端末には前記タッチ制御ボタンが設けられ、又は、前記シールド層が、タッチ制御ボタンを設けたタッチ制御端末の金属製胴部である請求項１に記載のタッチ制御ボタン。
【請求項３】
前記感圧層が、前記タッチ制御ボタンエリア内で導電性接着材を介して前記タッチ検出層の底部に直接装着される請求項１又は２に記載のタッチ制御ボタン。
【請求項４】
前記感圧層及びシールド層が各々、酸化インジウムスズ、可撓性の回路基板、又は、ポリエチレングリコールテレフタレート材料上に印刷された金属フィルムから作製される請求項１〜３の何れかに記載のタッチ制御ボタン。
【請求項５】
前記感圧層の縁部位置に可撓性の導電性基板が配置され、前記可撓性の導電性基板には第１種類接着パッドが設けられ、
前記タッチ検出層には、前記第１種類接着パッドに相当する位置でタッチ制御チップに電気的に接続された第２種類接着パッドが設けられる請求項１〜４の何れかに記載のタッチ制御ボタン。
【請求項６】
ビューエリア及びタッチ制御ボタンエリアを含むタッチ制御パネルであって、
前記タッチ制御ボタンエリアが、前記ビューエリアとは独立したエリア内に位置付けられ、
前記ビューエリアが、ディスプレイスクリーン、前記ディスプレイスクリーン上のタッチ検出層、及び、前記タッチ検出層上の保護層を含み、
前記タッチ制御ボタンエリアが、前記保護層、前記タッチ検出層、感圧層、及びシールド層を含み、
前記感圧層が、前記タッチ制御ボタンエリア内で前記タッチ検出層の下方に位置付けられ、
前記シールド層が、前記感圧層の下方で且つ前記感圧層から所定距離の位置に位置付けられるタッチ制御パネル。
【請求項７】
前記シールド層が前記感圧層の真下でタッチ制御端末の胴部上に直接被覆され、前記タッチ制御端末には前記タッチ制御ボタンが設けられ、又は、
前記シールド層が、前記タッチ制御ボタンを設けたタッチ制御端末の金属製胴部である請求項６に記載のタッチ制御パネル。
【請求項８】
前記感圧層が、前記タッチ制御ボタンエリア内で導電性接着材を介して前記タッチ検出層の底部に直接装着される請求項６又は７に記載のタッチ制御パネル。
【請求項９】
前記感圧層及びシールド層が各々、酸化インジウムスズ、可撓性の回路基板、又は、ポリエチレングリコールテレフタレート材料上に印刷された金属フィルムから作製される請求項６〜８の何れかに記載のタッチ制御パネル。
【請求項１０】
前記感圧層の縁部位置に可撓性の導電性基板が配置され、前記可撓性の導電性基板には第１種類接着パッドが設けられ、
前記タッチ検出層には、前記第１種類接着パッドに相当する位置で、タッチ制御チップに電気的に接続された第２種類接着パッドが設けられる請求項６〜９の何れかに記載のタッチ制御パネル。
【請求項１１】
プロセッサ及びタッチ制御パネルを含むタッチ制御端末であって、
前記タッチ制御パネルがビューエリア及び、前記ビューエリアとは独立したタッチ制御ボタンエリアを含み、
前記ビューエリアが、ディスプレイスクリーン、前記ディスプレイスクリーン上のタッチ検出層、及び、前記タッチ検出層上の保護層を含み、
前記タッチ制御ボタンエリアが、前記保護層、前記タッチ検出層、感圧層、及びシールド層を含み、前記感圧層が、前記タッチ制御ボタンエリア内で前記タッチ検出層の下方に位置付けられ、前記シールド層が、前記感圧層の下方で且つ前記感圧層から所定距離の位置に位置付けられ、
前記プロセッサが、前記ディスプレイスクリーン上のタッチ制御信号を検出し、前記タッチ制御信号に従う第１操作を実行し、
前記タッチ制御ボタンのタッチ圧力信号を検出し、前記タッチ圧力信号に従う第２操作を実行するタッチ制御端末。
【国際調査報告】
2018503883.tif 000009
2018503883.tif 000010
2018503883.tif 000011
2018503883.tif 000012